(57)【要約】【課題】浴室空間の余熱を回収し、他室空間暖房に再利用することができる換気空調装置を提供することを目的とする。【解決手段】圧縮機１９と、第１熱交換器３と、減圧手段２０と、第２熱交換器１０からなる冷凍サイクルと、熱交換器に空気を送る送風装置と、吸気口と吹出し方向を切換える風路切換手段を備え、浴室熱利用暖房モードを有した換気空調装置であり、浴室空間の使用後余熱を回収し、他室空間に熱を放出することができる。【選択図】図１
2012163249.tif 000002
【特許請求の範囲】
【請求項１】
本体に圧縮機と、通過する空気に熱を加える第１熱交換器と、減圧手段と、通過する空気から熱を吸収する第２熱交換器からなる冷凍サイクルと、熱交換器に空気を送る送風手段と、吸気口と吹出し方向を切換える風路切換手段を備え、浴室の熱を回収してその熱を加えて他室へ送風する浴室熱利用暖房モードを有したことを特徴とする換気空調装置。
【請求項２】
浴室熱利用暖房モードにおける風路は、浴室の空気を第２熱交換器と第１熱交換器を通過させて除湿し他室へ送風する除湿風路を形成することを特徴とする請求項１記載の換気空調装置。
【請求項３】
浴室熱利用暖房モードにおける風路は、浴室の空気を第２熱交換器へ循環させる風路と浴室の空気を第１熱交換器を通過させて他室へ送風する浴室循環風路を形成することを特徴とする請求項１記載の換気空調装置。
【請求項４】
浴室熱利用暖房モードにおける風路は、浴室の空気を第２熱交換器と通して屋外へ排気する風路と第１熱交換器を通して他室へ送風する屋外排気風路を形成することを特徴とする請求項１記載の換気空調装置。
【請求項５】
浴室熱利用暖房モードにおける風路は、除湿風路、浴室循環風路、屋外排気風路を組合せて切換えること特徴とする請求項１記載の換気空調装置。
【請求項６】
浴室熱利用暖房モードを停止するタイマー機能を有することを特徴とした請求項１から５のいずれか一つに記載の換気空調装置。
【請求項７】
乾燥運転後に浴室熱利用暖房モード運転とすることを特徴とした請求項１記載の換気空調装置。
【請求項８】
湿度検出手段を有することを特徴とした請求項５または請求項７記載の換気空調装置。
【請求項９】
浴室温度検出手段を有することを特徴とした請求項１記載の換気空調装置。
【請求項１０】
他室温度検出手段を有することを特徴とした請求項１記載の換気空調装置。
【発明の詳細な説明】
【技術分野】
【０００１】
本発明は、ヒートポンプを利用して浴室などの換気空調を行う換気空調装置に関するものである。
【背景技術】
【０００２】
従来、この種のヒートポンプを利用した浴室などの換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある（例えば、特許文献１参照）。
【０００３】
また、別のヒートポンプを利用した浴室などの換気空調装置としては、浴室または洗面室において使用され、冷凍サイクルの蒸発器と凝縮器となる熱交換器と、ヒータと、圧縮機を循環風路に備え、除湿した空気を浴室に送風し乾燥するものがある（例えば、特許文献２参照）。
【０００４】
また、浴室の余熱利用として提案されている換気空調装置としては、浴室より屋外へ排気されるダクトに他室への送風路を設け、その分岐点に切換ダンパーを有したことで浴室の空気をそのまま他室に送風し他室暖房するものや、同一構成の換気空調装置の他室の送風口に除湿機を備えて、浴室から送風される多湿度空気の除湿をおこなったのちに他室に送風するものがある（例えば、特許文献３および特許文献４参照）。
【先行技術文献】
【特許文献】
【０００５】
【特許文献１】特開２００５−１８０７１２号公報
【特許文献２】特開２００３−３４３８９２号公報
【特許文献３】実開平７−３７０９２号公報
【特許文献４】実開平７−３７０９３号公報
【発明の概要】
【発明が解決しようとする課題】
【０００６】
このようにヒートポンプを利用した換気空調装置は、様々な形態のものが提案されているが、特許文献１に例示される換気空調装置はヒートポンプを用いて、浴室から屋外に排出される空気から熱を回収して、浴室以外から取り入れられた空気に熱を放熱して浴室を空調するものだが、熱交換器において排出空気の全ての熱量を回収することは不可能であるため、浴室を空調した熱（冷熱）の一部が屋外に漏洩することにより熱損失が生じ、熱効率が悪いという課題があり、また、浴室以外から取り入れられた空気を浴室に吹出すことから、空気と共に他室の臭いなども吹出し、使用者が不快になるとの課題がある。
【０００７】
また、特許文献２に例示される換気空調装置はヒートポンプを用いて、再熱除湿をおこない浴室を乾燥させるものであるが、暖房空調をするときはヒータを用いて浴室に熱を投入する方式となっており、多量のエネルギーを必要とするとの課題がある。
【０００８】
このように浴室を空調する方式はあるものの、空調後の熱エネルギーや、入浴後の熱エネルギーを再利用することなく排気することが一般的であった。
【０００９】
また、特許文献３および４に例示される換気空調装置は、浴室の余熱を利用して他室を暖房することを提案しているが、浴室の空気をそのまま他室に送風して他室暖房をしているため、浴室を使用した衣類乾燥時や浴室使用後などに使用すると多量の湿気が他室に送られるため、冬季などは送風ダクト内部や他室の壁、窓には結露水が発生し、カビや菌の発生、汚れの原因となっており、また、他室の送風口に除湿機を備えたものも提案されているが、送風ダクト内部に発生する結露水については解決していないと共に、換気空調装置とは別に除湿機を設ける必要があり、且つ、連動運転させる必要があるため、システムとして複雑となり、また、除湿するための構成部材は別筐体のため専用に設ける必要があり無駄が多くなってしまうという課題がある。
【００１０】
また、このような浴室の余熱利用装置がない場合に余熱を利用するために、浴室のドアを開放するといったことが考えられるが、入浴後の浴室空間は高温多湿となっており、冬季に入浴後の熱にて周囲空間を暖めようと浴室のドアを開放すると、浴室に隣接する脱衣室や廊下などが冷え込んでいることから、高湿度の空気が冷えた壁などで結露することや、鏡を曇らせるなどの不具合が生じる。
【００１１】
また、入浴後そのまま放って置くと、カビなどの繁殖を促す要因にもなり、それを防止するために換気をおこなうが、このとき、湿度と共に熱エネルギーも屋外に放出してしまうとの課題がある。
【００１２】
そこで本発明は、上記課題を解決するため、浴室などを空調した空気の漏洩が少なく、熱効率を向上した浴室空調と、浴室空間の余熱を回収し、他室空間の暖房に再利用することができる換気空調装置を提供することを目的としている。
【課題を解決するための手段】
【００１３】
そして、この目的を達成するために、本発明の換気空調装置は、本体に圧縮機と、通過する空気に熱を加える第１熱交換器と、減圧手段と、通過する空気から熱を吸収する第２熱交換器からなる冷凍サイクルと、熱交換器に空気を送る送風手段と、吸気口と吹出し方向を切換える風路切換手段を備え、浴室の熱を回収してその熱を加えて他室へ送風する浴室熱利用暖房モードを有したことを特徴としたものであり、これにより所期の目的を達成するものである。
【発明の効果】
【００１４】
本発明の換気空調装置によれば、本体に圧縮機と、通過する空気に熱を加える第１熱交換器と、減圧手段と、通過する空気から熱を吸収する第２熱交換器からなる冷凍サイクルと、熱交換器に空気を送る送風手段と、吸気口と吹出し方向を切換える風路切換手段を備え、浴室の熱を回収してその熱を加えて他室へ送風する浴室熱利用暖房モードを有したことを特徴とし、浴室空間の使用後余熱を回収し、他室空間に熱を放出することで、排熱の再利用による省エネルギーで他室空間の暖房をすることができるという効果を得ることができる。
【図面の簡単な説明】
【００１５】
【図１】本発明の実施の形態１記載の換気空調装置の浴室の暖房運転風路の構成を示す概略断面図
【図２】同換気空調装置の浴室の乾燥運転風路の構成を示す概略断面図
【図３】同換気空調装置の浴室熱利用暖房モードの他室への除湿風路の構成を示す概略断面図
【図４】同換気空調装置の浴室熱利用暖房モードの浴室循環風路の構成を示す概略断面図
【図５】同換気空調装置の浴室熱利用暖房モードの屋外排気風路の構成を示す概略断面図
【図６】同制御手段との電気接続を示す概略構成図
【図７】同操作部の構成を示す概略図
【図８】同風路切換手段の閉状態を示す概略断面図
【発明を実施するための形態】
【００１６】
本発明の請求項１記載の換気空調装置は、本体に圧縮機と、通過する空気に熱を加える第１熱交換器と、減圧手段と、通過する空気から熱を吸収する第２熱交換器からなる冷凍サイクルと、熱交換器に空気を送る送風手段と、吸気口と吹出し方向を切換える風路切換手段を備え、浴室の熱を回収してその熱を加えて他室へ送風する浴室熱利用暖房モードを有したことを特徴とする換気空調装置であって、浴室空間の使用後余熱を回収し、他室空間に熱を放出することができるという効果を奏する。
【００１７】
また、請求項２記載の換気空調装置は、浴室熱利用暖房モードにおける風路は、浴室の空気を第２熱交換器と第１熱交換器を通過させて除湿し他室へ送風する除湿風路を形成する構成としてもよい。
【００１８】
これにより、浴室空間の湿度を低下させつつ他室へ温風を送風できるという効果を奏する。
【００１９】
また、請求項３記載の換気空調装置は、浴室熱利用暖房モードにおける風路は、浴室の空気を第２熱交換器へ循環させる風路と浴室の空気を第１熱交換器を通過させて他室へ送風する浴室循環風路を形成する構成としてもよい。
【００２０】
これにより、浴室空間を循環させる空気より熱を回収し、他室へ送風する空気に熱を放出することができるという効果を奏する。
【００２１】
また、請求項４記載の換気空調装置は、浴室熱利用暖房モードにおける風路は、浴室の空気を第２熱交換器と通して屋外へ排気する風路と第１熱交換器を通して他室へ送風する屋外排気風路を形成する構成としてもよい。
【００２２】
これにより、浴室より排気する空気より熱を回収し、他室へ送風する空気に熱を放出することができるという効果を奏する。
【００２３】
また、請求項５記載の換気空調装置は、浴室熱利用暖房モードにおける風路は、除湿風路、浴室循環風路、屋外排気風路を組合せて切換える構成としてもよい。
【００２４】
これにより、浴室空間の温湿度状況により風路を切換えて、他室へ送風する空気に熱を放出することができるという効果を奏する。
【００２５】
また、請求項６記載の換気空調装置は、浴室熱利用暖房モードを停止するタイマー機能を有する構成としてもよい。
【００２６】
これにより、浴室熱利用暖房モード運転を予め設定したタイマーで停止することができるという効果を奏する。
【００２７】
また、請求項７記載の換気空調装置は、乾燥運転後に浴室熱利用暖房モード運転とする構成としてもよい。
【００２８】
これにより、浴室空間を除湿した後、浴室熱利用暖房モードに切換えることができるという効果を奏する。
【００２９】
また、請求項８記載の換気空調装置は、湿度検出手段を有する構成としてもよい。
【００３０】
これにより、予め設定した湿度以下になると風路切換えすることができるという効果を奏する。
【００３１】
また、請求項９記載の換気空調装置は、浴室温度検出手段を有する構成としてもよい。
【００３２】
これにより、浴室熱利用暖房モード運転を予め設定した浴室温度で停止することができるという効果を奏する。
【００３３】
また、請求項１０記載の換気空調装置は、他室温度検出手段を有する構成としてもよい。
【００３４】
これにより、浴室熱利用暖房モード運転を予め設定した他室温度で停止することができるという効果を奏する。
【００３５】
以下、本発明の実施の形態について図面を参照しながら説明する。
【００３６】
（実施の形態１）
本発明の実施の形態１の換気空調装置１を図１から図８を参照しながら説明する。
【００３７】
図１は本発明の換気空調装置１の一例で浴室の暖房運転状態の構成を示し、図２は、浴室の乾燥運転状態の構成を示し、図３は浴室熱利用暖房モードの他室への除湿風路の構成を示し、図４は浴室熱利用暖房モードの浴室循環風路の構成を示し、図５は浴室熱利用暖房モードの屋外排気風路の構成を示すものであり、図６は制御手段２５の電気接続状態を示すものであり、図７は操作部２６の構成を示すものであり、図８は風路切換手段の開閉方向（閉状態）を示すものである。
【００３８】
図１に示すように、換気空調装置１には浴室に開口した吸込口２と、通過させる空気を加熱する第１熱交換器３と、浴室空間に開口し空気を吹き出す吹出口４と、他室空間と連通する他室口５へと空気通す他室送風路６を有した空調風路７と、この空調風路７には第１風路切換手段８を設けており、この第１風路切換手段８の開閉角度によって浴室空間と換気空調装置１内部との連通を遮断し他室送風路６と連通する位置と、他室送風路６と空調風路７との連通を遮断し浴室空間と連通する位置とに切換えられる構成としている。
【００３９】
図１においては、第１風路切換手段８は他室送風路６と空調風路７との連通を遮断し浴室空間と連通する位置を示している。
【００４０】
また、この空調風路７には吸込口２から第１熱交換器３を介して空気を吸い込み前記吹出口４へ送風する空調送風装置９を配置している。
【００４１】
また、通過させる空気を冷却させる第２熱交換器１０と、屋外に空気を排出する換気口１１と、浴室に循環空気を吹出す、もしくは、浴室内空気を吸込む浴室開口部１２を有した換気風路１３と、この換気風路１３には、第２風路切換手段１４を設けており、この第２風路切換手段１４の開閉角度によって前記換気口１１と浴室開口部１２を閉塞し屋外および浴室空間と換気空調装置１内部との連通を遮断する位置と、浴室開口部１２を閉塞し換気口１１と換気風路１３を連通する位置と、換気口１１を閉塞し浴室開口部１２と換気風路１３を連通する位置とに切換えられる構成としている。
【００４２】
図１においては、第２風路切換手段１４は浴室開口部１２を閉塞し換気口１１と換気風路１３を連通する位置を示している。
【００４３】
また、この換気風路１３には、他室口５から第２熱交換器１０を介して空気を吸い込み、換気口１１へ送風する換気送風装置１５と、第３風路切換手段１６と、第４風路切換手段１７を設けており、この第３風路切換手段１６の開閉角度によって前記他室口５と他室送風路６を閉塞し他室空間と換気空調装置１内部との連通を遮断する位置と、他室送風路６を閉塞し他室口５と換気風路１３を連通する位置と、第２熱交換器１０への通風口を閉塞し他室送風路６と他室口５を連通する位置とに切換えられる構成としている。
【００４４】
図１においては、第３風路切換手段１６は他室送風路６を閉塞し他室口５と換気風路１３を連通する位置を示している。
【００４５】
また、第４風路切換手段１７の開閉により、吸込口２と第２熱交換器１０の連通を切換えられる構成としている。
【００４６】
図１においては、第４風路切換手段１７は吸込口２と第２熱交換器１０の連通を遮断する位置を示している。
【００４７】
また、吸込口２において浴室空間と換気空調装置１内部との連通を遮断し、空調風路７と換気風路１３を連通させる、つまりは第１熱交換器３と第２熱交換器１０との間を連通させる第５風路切換手段１８を設ける。
【００４８】
この第５風路切換手段１８は浴室空間と換気空調装置１内部との連通を遮断すること以外に、開閉角度によっては、吸込口２と空調風路７を連通しつつ吸込口２と換気風路１３を遮断するよう構成されている。
【００４９】
図１においては、第５風路切換手段１８は吸込口２と空調風路７を連通しつつ吸込口２と換気風路１３を遮断する位置を示している。
【００５０】
また、冷媒を圧縮する圧縮機１９と、空調送風装置９により送風される空気と冷媒を熱交換させる第１熱交換器３と、冷媒を膨張させる減圧手段２０と、換気送風装置１５により送風される空気と冷媒を熱交換させる第２熱交換器１０とをつなぎ冷媒を通す冷凍配管２１にて冷凍サイクルを形成する。
【００５１】
また、浴室空間の湿度を検出する湿度検出手段２２と、浴室空間の温度を検出する浴室温度検出手段２３と、他室の温度を検出する他室温度検出手段２４（図６に図示）と、浴室熱利用暖房モードを停止するタイマー機能を有し、浴室の乾燥運転後に他室の浴室熱利用暖房モード運転をする制御手段２５を設ける。
【００５２】
また、複数の空調モードから使用者が選択するスイッチと、動作モードを示す表示部を有した操作部２６を備える。
【００５３】
図７においては、操作部２６の一例を示し、例えば暖房空調スイッチ２７、乾燥空調スイッチ２８、他室暖房スイッチ２９と暖房モードを示す暖房表示部３０、乾燥モードを示す乾燥表示部３１、他室暖房モードを示す他室暖房表示部３２を備えた構成とする。
【００５４】
また、図６に示すように、制御手段２５は、操作部２６と、湿度検出手段２２、浴室温度検出手段２３、他室温度検出手段２４、圧縮機１９、空調送風装置９、換気送風装置１５、第１風路切換手段８、第２風路切換手段１４、第３風路切換手段１６、第４風路切換手段１７、第５風路切換手段１８、および、換気送風装置１５と電気的に接続された構成とし、この制御手段２５は、操作部２６から送信される運転信号と、湿度検出手段２２、浴室温度検出手段２３、他室温度検出手段２４からの検出値を受信し、圧縮機１９、空調送風装置９、換気送風装置１５、第１風路切換手段８、第２風路切換手段１４、第３風路切換手段１６、第４風路切換手段１７、第５風路切換手段１８、および、換気送風装置１５を駆動制御する。
【００５５】
図８にて、第１風路切換手段８、第２風路切換手段１４、第３風路切換手段１６、第４風路切換手段１７、および、第５風路切換手段１８それぞれの開閉方向として閉塞状態を示す。
【００５６】
つまり、第１風路切換手段８、第２風路切換手段１４、第３風路切換手段１６、第４風路切換手段１７、および、第５風路切換手段１８のすべてが閉塞している場合には、換気空調装置１内部は、浴室、他室空間および屋外に対して遮断された状態となる。
【００５７】
上記構成において、浴室を暖房する場合は、操作部２６にて暖房空調スイッチ２７を押すことで、暖房表示部３０が点灯し運転モードを使用者に伝え、また、操作部２６より制御手段２５に暖房運転モードであることを電気信号で搬送する。
【００５８】
暖房運転モード信号を受信した制御手段２５は、圧縮機１９を駆動し、この圧縮機１９より高温高圧化された冷媒は冷凍配管２１を通り、第１熱交換器３へ移動し、空調送風装置９により浴室から吸込まれた空気に熱を放熱し、減圧手段２０へと移動し減圧され、低温低圧となり第２熱交換器１０へと移動し、換気送風装置１５により他室から吸込まれた空気の熱を吸収し圧縮機１９へと戻り冷凍サイクルを成り立たせる。
【００５９】
また、送風風路としては、図１における各風路切換手段の位置とし、換気風路１３は他室口５から第３風路切換手段１６、第２熱交換器１０、換気送風装置１５、第２風路切換手段１４、換気口１１と連通された風路が形成されつつ換気送風装置１５により、他室から吸い込まれた空気は、第２熱交換器１０で熱を回収され冷やされた空気が屋外に排気される。
【００６０】
また、空調風路７は吸込口２から第５風路切換手段１８、第１熱交換器３、空調送風装置９、第１風路切換手段８、吹出口４と連通された風路が形成されるため、浴室空間から吸込まれた空気に第１熱交換器３から熱が放熱されて暖められた空気が再度浴室空間に吹出されることで換気空調装置１内部に暖房風路が形成され、浴室空間の暖房空調がなされる。
【００６１】
この際、第４風路切換手段１７および、第５風路切換手段１８により閉塞された吸込口２の半分からは空気は吸込まれない。
【００６２】
このように、他室から吸収した熱を利用して浴室空間の暖房に利用することから、空気の漏洩が少なく、熱効率を向上した暖房空調で且つ、空気と共に他室の臭いなども吹出さない空調を可能とする。
【００６３】
また、浴室を乾燥する場合は、操作部２６にて乾燥空調スイッチ２８を押すことで、乾燥表示部３１が点灯し運転モードを使用者に伝え、また、操作部２６より制御手段２５に乾燥運転モードであることを電気信号で搬送する。
【００６４】
この乾燥運転モード信号を受信した制御手段２５は暖房運転と同様に冷凍サイクルを成り立たせ、空調送風装置９を駆動すると共に送風風路としては、図２における各風路切換手段の位置とすることで、浴室開口部１２から、第２風路切換手段１４、第２熱交換器１０、第５風路切換手段１８、第１熱交換器３、空調送風装置９、第１風路切換手段８、吹出口４まで連通した風路を構成するので、浴室空間の空気を浴室開口部１２より吸込み、第２熱交換器１０にて冷媒が吸熱するため、吸込まれた空気は冷やされることで露点温度を下回り、第２熱交換器１０に結露を発生させ、保有水分量を減少させた後、空気は第１熱交換器３へと送られ、第１熱交換器３により冷媒が放熱するので、送られた空気は再度冷媒による熱交換熱と圧縮機１９の消費電力分の熱量を加えて暖められ吹出口４より浴室へと送風されることによって浴室空間を除湿することとなる。
【００６５】
このようにヒートポンプを利用したため、風路の切換えによって空調モードを切換えることが可能である。
【００６６】
また、浴室使用後や浴室空調後など浴室の余熱を利用して他室を暖房する浴室熱利用暖房モードを運転する場合は、操作部２６にて他室暖房スイッチ２９を押すことで、他室暖房表示部３２が点灯し運転モードを使用者に伝え、また、操作部２６より制御手段２５に他室暖房モードであることを電気信号で搬送する。
【００６７】
この他室暖房モード信号を受信した制御手段２５は、まず乾燥運転を行い、次に除湿風路モード、浴室循環風路モード、屋外排気風路モードと切換えて成る浴室熱利用暖房モードを実施する。
【００６８】
乾燥運転の構成、動作については、前述しているためここでは説明を省略する。
【００６９】
まず、浴室熱利用暖房モードの除湿風路モードは、浴室の暖房運転、浴室の乾燥運転と同様に冷凍サイクルを成り立たせ、空調送風装置９を駆動すると共に送風風路としては、図３における各風路切換手段の位置とすることで、浴室開口部１２から、第２風路切換手段１４、第２熱交換器１０、第５風路切換手段１８、第１熱交換器３、空調送風装置９、第１風路切換手段８、他室送風路６、第３風路切換手段１６、他室口５まで連通した風路を構成するので、浴室空間の空気を浴室開口部１２より吸込み、第２熱交換器１０にて冷媒が吸熱するため、吸込まれた空気は冷やされることで露点温度を下回り、第２熱交換器１０に結露を発生させ、保有水分量を減少させた後、空気は第１熱交換器３へと送られ、第１熱交換器３により冷媒が放熱するので、送られた空気は再度冷媒による熱交換熱と圧縮機１９の消費電力分の熱量を加えて暖められ他室口５より他室へと送風されることによって浴室空間の空気を除湿しつつ他室の暖房をすることができる。
【００７０】
このように、浴室空間の湿度を低下させつつ他室へ温風を送風することから、浴室空間の湿度が高いときでも、他室への送風ダクト内部や、他室の壁や窓ガラスなどに発生する結露や、他室の鏡の曇りなどを低減した他室暖房をすることができる。
【００７１】
次に、浴室熱利用暖房モードの浴室循環風路モードは、浴室の暖房運転、浴室の乾燥運転と同様に冷凍サイクルを成り立たせ、空調送風装置９と換気送風装置１５を駆動すると共に送風風路としては、図４における各風路切換手段の位置とすることで、換気風路１３は吸込口２から第４風路切換手段１７、第２熱交換器１０、換気送風装置１５、第２風路切換手段１４、浴室開口部１２と連通された風路が形成されつつ換気送風装置１５により、浴室から吸い込まれた空気から第２熱交換器１０で熱を回収し、冷やされた空気が再度浴室へ吹出され、浴室内空気と混合し、再度吸込口２から吸い込まれる。
【００７２】
また、空調風路７は吸込口２から第５風路切換手段１８、第１熱交換器３、空調送風装置９、第１風路切換手段８、他室送風路６、第３風路切換手段１６、他室口５と連通された風路が形成されるため、浴室空間から吸込まれた空気に第１熱交換器３から熱が放熱されて暖められた空気が他室に吹出されることで他室の暖房空調がなされる。
【００７３】
このように浴室内を循環した空気から繰り返し熱を回収することで、浴室の熱を効率的に回収し、他室の暖房をすることができる。
【００７４】
さらに、浴室熱利用暖房モードの屋外排気風路モードは、暖房運転、乾燥運転と同様に冷凍サイクルを成り立たせ、空調送風装置９と換気送風装置１５を駆動すると共に送風風路としては、図５における各風路切換手段の位置とすることで、換気風路１３は吸込口２から第４風路切換手段１７、第２熱交換器１０、換気送風装置１５、第２風路切換手段１４、換気口１１と連通された風路が形成されつつ換気送風装置１５により、浴室から吸い込まれた空気から第２熱交換器１０で熱を回収し、冷やされた空気が屋外へ排気される。
【００７５】
また、空調風路７は吸込口２から第５風路切換手段１８、第１熱交換器３、空調送風装置９、第１風路切換手段８、他室送風路６、第３風路切換手段１６、他室口５と連通された風路が形成されるため、浴室空間から吸込まれた空気に第１熱交換器３から熱が放熱されて暖められた空気が他室に吹出されることで他室の暖房空調がなされる。
【００７６】
このように浴室の空気から熱を回収して排気することで、浴室空間を隣接する空間以上に冷やすことなく他室の暖房をすることができる。
【００７７】
このように、浴室の乾燥運転から浴室熱利用暖房モードの除湿風路モード、浴室循環風路モード、屋外排気風路モードと順次切換えることで、湿度を低減した暖房空気を送風しつつ、浴室空間の空気から繰り返し熱を回収し、浴室空間を隣接する空間以上に冷やすことなく、結露や鏡の曇りの低減した他室の暖房をすることができる。
【００７８】
また、浴室熱利用暖房モードの除湿風路モード、浴室循環風路モード、屋外排気風路モードにはそれぞれ特徴があり、単独の風路モードで他室の暖房空調を実施することも可能である。
【００７９】
また、制御手段２５には浴室熱利用暖房モードを停止するタイマー機能を有しており、タイマーによる他室暖房運転の自動停止をおこなってもよい。
【００８０】
その場合は、操作部２６にて他室暖房スイッチ２９を押されたときからタイマーカウントを始め、予め設定した時間（５分〜１０時間範囲として望ましくは３０分）が経過すると自動的に他室暖房運転を停止する。
【００８１】
このように、タイマーによる自動停止を設けることで、浴室空間が冷えて余熱回収の効果が得られなくなる前に停止することができる。
【００８２】
また、タイマー機能を使用しない場合は、運転時間に関係なく他室暖房運転を継続する。
【００８３】
また、他室暖房モードにおける浴室の乾燥運転から除湿風路モードへの切換え、および、除湿風路モードから浴室循環風路モードへの切換えは、湿度検出手段２２にて検出する浴室の湿度を用いておこなってもよい。
【００８４】
その場合、浴室の乾燥運転から除湿風路モードへの切換えは、予め設定した湿度（例えば７０〜８５％ＲＨ範囲として望ましくは７５％）以下となったときに切換えを実行し、除湿風路モードから浴室循環風路モードへの切換えは、予め設定した湿度（例えば５０〜６５％ＲＨ範囲として望ましくは６０％）以下となったときに切換えるようにする。
【００８５】
このように、浴室の湿度を用いてモード切換することで、他室へ高湿度の空気を送風することを防止すると共に、他室の暖房として有利なモード切換えが可能となる。
【００８６】
また、湿度検出手段２２を設けない場合は、制御手段２５に有したタイマー機能で予め設定した時間にてモードを切換えるようにしてもよい。
【００８７】
また、他室暖房モードにおける、浴室循環風路モードから屋外排気風路モードへの切換えは、浴室温度検出手段２３にて検出する浴室の温度を用いて、おこなってもよい。
【００８８】
その場合は、予め設定した温度（例えば１０〜２０℃範囲として望ましくは１５℃）以下となったときに切換えるようにする。
【００８９】
また、浴室循環風路モードのみを使用して他室の暖房をおこなう場合には、この浴室の温度を用いて他室暖房モードを停止させてもよい。
【００９０】
このように浴室の温度にて風路モードの切換えや他室暖房モードの停止をすることで、浴室空間が冷えて余熱回収の効果が得られなくなることを防止することができる。
【００９１】
また、他室検出手段にて検出した他室温度にて他室暖房運転の運転、停止を切換えてもよい。
【００９２】
その場合は、予め設定した温度（例えば１８〜２７℃範囲として望ましくは２３℃）以下のときには運転し、前記他室の温度が予め設定した温度以上のときには他室暖房運転を停止するようにする。
【００９３】
また、他室検出手段を設けない場合は、他室の温度に関わらず暖房運転を継続することとなる。
【００９４】
このように、他室の温度にて他室暖房の運転、停止を切換えられるので、他室空間が暖かいときの不要な暖房を避けることができる。
【００９５】
なお、換気送風装置１５と空調送風装置９は別々のものとして説明したが、第１熱交換器３と第２熱交換器１０へ空気を流す作用が得られれば良く、ひとつの送風装置を共用にした構成や、換気送風装置１５は換気空調装置１内部に設けず、別置きとした構成でも効果は変わらない。
【００９６】
また、第１熱交換器３と第２熱交換器１０は冷媒と空気との間で熱交換できれば良く、例えば、縦横に配列した配管とフィンを用いた構成で、材料は熱伝導の良い銅やアルミニウムを主原料としたものがある。
【００９７】
また、各風路切換手段は風路の開閉状態を可変できれば良く、例えば駆動源にステッピングモータを用いたものがある。
【００９８】
また、減圧手段２０は冷媒を膨張（減圧）できれば良く、配管を細くして一定の減圧を実施するキャピラリーチューブや、減圧量を可変することができる膨張弁、更に電子制御を実現する電動膨張弁などがある。
【００９９】
また、浴室温度検出手段２３および他室温度検出手段２４は温度の検知ができれば良く、例えば、正特性サーミスタ、負特性のサーミスタがある。
【０１００】
また、湿度検出手段２２は湿度の検知ができれば良く、例えば、高分子膜の水分の吸収・放出に伴う誘電率変化から雰囲気の相対湿度を検出する高分子膜湿度センサや、水蒸気の吸着しやすい多孔質セラミックを用いて、乾湿材がセラミック焼結体で構成されたセラミック湿度センサや、塩化リチウムを利用した電解質湿度センサなどがある。
【０１０１】
また、圧縮機１９は冷媒を圧縮し高温高圧ガスとして冷媒配管へ冷媒を送り出せればよく、駆動源となるモータは交流電圧を印加する誘導電動機を用いても、インバータ駆動方式のＤＣモータを用いてもよい。
【０１０２】
また、暖房表示部３０、乾燥表示部３１、他室暖房表示部３２は、運転モードを使用者に視覚を通じて知らせることができればよく、発光ダイオード（ＬＥＤ）やネオンランプや液晶パネル（ＬＣＤ）などがある。
【産業上の利用可能性】
【０１０３】
本発明の換気空調装置は、不要となった空調熱やその空間にある不要な熱を再利用して、別の空間の暖房をすることが特徴であり、小規模飲食店のキッチン空間熱を再利用して併設する事務所の暖房などにも利用することができる。
【符号の説明】
【０１０４】
１    換気空調装置
２    吸込口
３    第１熱交換器
４    吹出口
５    他室口
６    他室送風路
７    空調風路
８    第１風路切換手段
９    空調送風装置
１０  第２熱交換器
１１  換気口
１２  浴室開口部
１３  換気風路
１４  第２風路切換手段
１５  換気送風装置
１６  第３風路切換手段
１７  第４風路切換手段
１８  第５風路切換手段
１９  圧縮機
２０  減圧手段
２１  冷凍配管
２２  湿度検出手段
２３  浴室温度検出手段
２４  他室温度検出手段
２５  制御手段
２６  操作部
２７  暖房空調スイッチ
２８  乾燥空調スイッチ
２９  他室暖房スイッチ
３０  暖房表示部
３１  乾燥表示部
３２  他室暖房表示部
【図１】
2012163249.tif 000003
【図２】
2012163249.tif 000004
【図３】
2012163249.tif 000005
【図４】
2012163249.tif 000006
【図５】
2012163249.tif 000007
【図６】
2012163249.tif 000008
【図７】
2012163249.tif 000009
【図８】
2012163249.tif 000010